【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
無線患者モニタリングシステムであって、該システムは、
第１の患者モニタリングサブシステムと、
プロセッサトランシーバを備えている第１の臨床医表示サブシステムと
を備えており、
該第１の患者モニタリングサブシステムは、
複数のセンサーおよびセンサーモジュールと、
該複数のセンサーおよびセンサーモジュールと通信するプロセッサトランシーバと
を備えており、
該第１の臨床医表示サブシステムの該プロセッサトランシーバは、第１の予め決められた周波数で、該第１の臨床医表示サブシステムの該プロセッサトランシーバが、該第１の患者モニタリングサブシステムの該プロセッサトランシーバと通信するために用いる周波数を放送し、
該第１の患者モニタリングサブシステムの該プロセッサトランシーバは、該第１の臨床医表示サブシステムの該プロセッサトランシーバが、該第１の患者モニタリングサブシステムの該プロセッサトランシーバと通信するために用いる周波数でデータを送受信する、無線患者モニタリングシステム。
【請求項２】
前記第１の患者モニタリングサブシステムの前記プロセッサトランシーバは、前記第１の臨床医表示サブシステムの前記プロセッサトランシーバとの通信が失われた場合には、前記第１の周波数に戻る、請求項１に記載の無線システム。
【請求項３】
前記通信は、病院内の患者の移動が原因で失われる、請求項２に記載の無線システム。
【請求項４】
プロセッサトランシーバを備えている第２の臨床医表示サブシステムをさらに備え、該第１の患者モニタリングサブシステムの該プロセッサトランシーバは、前記第１の臨床医表示サブシステムの前記プロセッサトランシーバとの通信が失われたときには、該第２の臨床医表示サブシステムの該プロセッサトランシーバとの通信を確立する、請求項３に記載の無線システム。
【請求項５】
プロセッサトランシーバを備えている第１の臨床医表示サブシステムを有する無線患者モニタリングシステムのための患者モニタリングサブシステムであって、該患者モニタリングサブシステムは、
複数のセンサーおよびセンサーモジュールと、
該複数のセンサーおよびセンサーモジュールと通信するプロセッサトランシーバと
を備えており、
該第１の臨床医表示サブシステムは、第１の予め決められた周波数で、該第１の臨床医表示サブシステムの該プロセッサトランシーバが、該患者モニタリングサブシステムの該プロセッサトランシーバと通信するために用いる周波数を放送し、
該患者モニタリングサブシステムの該プロセッサトランシーバは、該第１の臨床医表示サブシステムの該プロセッサトランシーバが、該患者モニタリングサブシステムの該プロセッサトランシーバと通信するために用いる周波数でデータを送受信する、患者モニタリングサブシステム。
【請求項６】
前記患者モニタリングサブシステムの前記プロセッサトランシーバは、前記第１の臨床医表示サブシステムの前記プロセッサトランシーバとの通信が失われた場合には、前記第１の周波数に戻る、請求項５に記載の無線システム。
【請求項７】
前記通信は、病院内の患者の移動が原因で失われる、請求項６に記載の無線システム。
【請求項８】
プロセッサトランシーバを備えている第２の臨床医表示サブシステムをさらに備え、前記患者モニタリングサブシステムの前記プロセッサトランシーバは、前記第１の臨床医表示サブシステムの前記プロセッサトランシーバとの通信が失われたときには、該第２の臨床医表示サブシステムの該プロセッサトランシーバとの通信を確立する、請求項６に記載の無線システム。
【請求項９】
プロセッサトランシーバを備えている第１の患者モニタリングサブシステムを備えている無線患者モニタリングシステムのための臨床医表示サブシステムであって、該臨床医表示サブシステムは、
プロセッサトランシーバを備えており、
該臨床医表示サブシステムの該プロセッサトランシーバは、第１の予め決められた周波数で、該臨床医表示サブシステムの該プロセッサトランシーバが、該第１の患者モニタリングサブシステムの該プロセッサトランシーバと通信するために用いる該周波数を放送し、
該第１の患者モニタリングサブシステムの該プロセッサトランシーバは、該臨床医表示サブシステムの該プロセッサトランシーバが、該第１の患者モニタリングサブシステムの該プロセッサトランシーバと通信するために用いる周波数でデータを送受信する、臨床医表示サブシステム。
【請求項１０】
前記第１の患者モニタリングサブシステムの前記プロセッサトランシーバは、前記臨床医表示サブシステムの前記プロセッサトランシーバとの通信が、失われた場合には、前記第１の周波数に戻る、請求項９に記載の無線システム。
【請求項１１】
前記通信は、病院内の患者の移動が原因で失われる、請求項１０に記載の無線システム。
【請求項１２】
前記第１の患者モニタリングサブシステムの前記プロセッサトランシーバは、前記臨床医表示サブシステムの前記プロセッサトランシーバとの通信が失われたときには、別の臨床医表示サブシステムのプロセッサトランシーバとの通信を確立する、請求項１０に記載の無線システム。
【請求項１３】
複数のセンサーおよびセンサーモジュールと該複数のセンサーおよびセンサーモジュールと通信するプロセッサトランシーバとを備えている第１の患者モニタリングサブシステムと、第１の臨床医表示サブシステムと、を備え、該第１の臨床医表示サブシステムは、プロセッサトランシーバを備えている、無線患者モニタリングシステムにおける通信の方法であって、該方法は、
第１の予め決められた周波数で該第１の臨床医表示サブシステムの該プロセッサトランシーバによって、該第１の臨床医表示システムの該プロセッサトランシーバが、該第１の患者モニタリングサブシステムの該プロセッサトランシーバと通信するために用いられる周波数を放送する、ステップと、
該第１の患者モニタリングサブシステムの該プロセッサトランシーバによって、該第１の臨床医表示サブシステムの該プロセッサトランシーバが、該第１の患者モニタリングサブシステムの該プロセッサトランシーバと通信するために用いる周波数でデータを送受信するステップと
を包含する、方法。
【請求項１４】
前記第１の臨床医表示サブシステムの前記プロセッサトランシーバとの通信が失われた場合に、前記第１の患者モニタリングサブシステムの前記プロセッサトランシーバによって前記第１の周波数に戻すステップをさらに包含する、請求項１３に記載の方法。
【請求項１５】
前記第１の臨床医表示サブシステムの前記プロセッサトランシーバとの通信が失われたときに、前記第１の患者モニタリングサブシステムの前記プロセッサトランシーバによって、第２の臨床医表示サブシステムのプロセッサトランシーバとの通信を確立するステップをさらに包含する、請求項１４に記載の方法。
【請求項１６】
前記複数のセンサーおよびセンサーモジュールは、ＥＣＧモニターおよびオキシメータを含む、請求項１に記載の無線患者モニタリングシステム。
【請求項１７】
前記ＥＣＧモニターは複数のリードを含み、該複数のリードは臨床医によって選択可能である、請求項１６に記載の無線患者モニタリングシステム。
【請求項１８】
前記ＥＣＧモニターは、スイッチマルチプレクサと通信する単一終端増幅器と通信する差動増幅器を含む、請求項１７に記載の無線患者モニタリングシステム。
【請求項１９】
前記プロセッサトランシーバと通信するデジタル信号プロセッサをさらに含み、該デジタル信号プロセッサは、前記複数のセンサーおよびセンサーモジュールからの信号を処理し、該プロセッサトランシーバは、処理されたセンサーおよびセンサーモジュールのデータを送信する、請求項５に記載の患者モニタリングサブシステム。
【請求項２０】
前記第１の臨床医表示サブシステムは、表示機能を実行する、請求項１９に記載の患者モニタリングサブシステム。
【請求項２１】
前記第１の臨床医表示サブシステムの前記プロセッサトランシーバとの前記通信は、該第１の臨床医表示サブシステムからＡＣＫが受信されない場合に、前記第１の患者モニタリングサブシステムの該プロセッサトランシーバによって失われたとして判断される、請求項１４に記載の方法。